(57)【特許請求の範囲】
【請求項１】
指向性の強い点光源と、
前記点光源が底部の中央に固定され、前記底部から側壁部が所定の高さ立設されて、前記点光源と対向する側に開口を有し、内壁面が反射部材で形成された箱型のハウジングと、
前記ハウジングの開口を覆い、周囲が前記ハウジングの開口の縁部で固定された光導通反射板を備えた面照明光源装置において、
前記光導通反射板は、前記点光源に対向する側に中央反射導光部及び前記中央反射導光部の周囲に外方反射導光部が設けられた板状体からなり、
前記外方反射導光部に、前記光導通反射板を垂直に貫通する複数の光導通部が形成されており、
前記光導通反射板は、前記ハウジングの底部との間隙が前記ハウジングの開口の縁部から前記中央反射導光部に向かって徐々に狭められていることを特徴とする面照明光源装置。
【請求項２】
前記ハウジングの開口には、更に、前記光導通反射板の光出射側に、前記ハウジングの開口を覆うように、前記光導通反射板とは所定の隙間をあけて、光透過板が設けられていることを特徴とする請求項１に記載の面照明光源装置。
【請求項３】
前記光導通反射板は弾性を有する板体から形成され、前記中央反射導光部には前記光透過板と接触する高さの突起が形成されていることを特徴とする請求項２に記載の面照明光源装置。
【請求項４】
前記中央反射導光部及び前記外方反射導光部は高反射率及び低透過率に形成され、
前記外方反射導光部の前記複数の光導通部は所定径を有する開孔又は所定幅及び長さを有するスリットからなり、前記開孔の孔径又は前記スリットの幅及び長さは前記中央反射導光部から外方へ離れるにしたがって徐々に大きくされていることを特徴とする請求項１に記載の面照明光源装置。
【請求項５】
前記光導通反射板は光反射拡散透過部材からなることを特徴とする請求項１に記載の面照明光源装置。
【請求項６】
光導通反射板は超微細発泡光反射部材で形成されていることを特徴とする請求項５に記載の面照明光源装置。
【請求項７】
前記ハウジングは超微細発泡光反射部材で形成されており、前記光導通反射板と一体に形成されていることを特徴とする請求項６に記載の面照明光源装置。
【請求項８】
前記点光源は発光ダイオード又はレーザーダイオードであることを特徴とする請求項１〜７のいずれかに記載の面照明光源装置。
【請求項９】
請求項１〜８のいずれかの面照明光源装置を複数個連接することによって構成したことを特徴とする面照明装置。
【発明の詳細な説明】
【技術分野】
【０００１】
本発明は、面照明光源装置及びこの面照明光源装置を用いた面照明装置に関し、さらに詳しくは、光源に指向性の強い点光源を用いて、この点光源からの光で均一な照度分布の照明光を得ることのできる面照明光源装置及びこの面照明光源装置を用いた面照明装置に関する。
【背景技術】
【０００２】
近年、発光ダイオード（以下、「ＬＥＤ」という）の研究、開発が急速に進み、様々なタイプのＬＥＤが開発・製品化され、幅広い分野で使用されている。これらのＬＥＤは、例えば液晶パネル用バックライト、各種の表示板、電光掲示板、電飾装置などにおいて多く使用されているが、照明分野においても使用されるようになってきている。この照明分野では、例えば、自動車用ヘッドライトないしテールライト、複数のＬＥＤを組み込んだ面状照明装置、管内にＬＥＤを組み込んで蛍光灯と同様に使用し得るようにした照明装置等に使用されている。
【０００３】
しかし、室内用照明装置等に使用される面状光源としては、均一に発光する面状光源が要求されるが、ＬＥＤは、光の指向性が強いため、そのままでは室内用照明装置等に使用するには適していない。そのため、ＬＥＤを光源として用いた、面状の均一な照度分布の照明光を得るための従来の光源装置としては、光の放射面に反射手段を設けて光を多重反射させたものが知られている（下記特許文献１参照）。また、ＬＥＤの指向性の強い光が直接目に入ると、グレア（glare）と呼ばれる不快なまぶしさが生じる。このグレアを防止するため、さらに拡散板を放射面に設けたものが知られている（下記特許文献２参照）。
【０００４】
しかし、拡散板を用いると、均一な照度分布の光を得ることが容易になるが、光の利用効率が低下してしまうという欠点がある。この欠点を解消するべく、拡散板を使用しなくともグレアが発生しないようにするため、光源から放射された光が少なくとも１回は光源装置内または光源装置の放射面に設けられた反射手段の開口の側壁で反射されてから開口を通過するように設計された光源装置が知られている。
【０００５】
例えば、下記特許文献３には、光源からの光を高い効率で利用しながら、光の放射方向の厚みを増大させることなく、放射面から所定の距離離れた面において均一な照明光を得ることのできる面照明光源装置及び面照明装置の発明が開示されている。なお、下記特許文献３は本願の出願人に係る特許出願の公開公報である。
【０００６】
以下、図１０Ａ〜図１０Ｃを参照して、下記特許文献３に開示されている面照明光源装置を説明する。なお、図１０Ａは下記特許文献３に記載された面照明光源装置の平面図、図１０Ｂは同じく断面図、図１０Ｃは同じく光の反射状態を説明するための拡大断面図である。
【０００７】
面照明光源装置１００には、図１０Ａ〜図１０Ｃに示すように、発光ダイオード等の光を放射する単体又は複数の集合体からなる光源１１０と、この光源１１０からの光を伝搬してその放射方向の所定位置に放射面１４０Ａを有する光学的に透明な導光体１４０と、この導光体１４０の放射面１４０Ａ以外の面を閉鎖し、光源１１０を略中央に配置した無蓋のケーシング１３０とが設けられている。ケーシング１３０と導光体１４０との間の全体には、内側反射部１５０が設けられている。また、放射面１４０Ａ上には、放射側反射部１２０が設けられている。
【０００８】
放射側反射部１２０は、放射面１４０Ａ上に配置され、導光体１４０の内部を伝搬する光を所定の割合で反射させる反射面１６０ａを有する外方反射部１６０と、この外方反射部１６０に形成され、光源１１０からの光のうち少なくとも１回はいずれかの反射面（反射面１６０ａや内側反射部１５０）で反射された反射光を通過させる開口部１７０とを有している。開口部１７０には、光を反射する側面壁１７０ａが形成されている。
【０００９】
外方反射部１６０には、光源１１０に対向する放射面１４０Ａの中心側に、同心状に多数の未貫通孔（ハーフカット孔）１８０と、その外周側に幅狭の多数の幅狭溝１９０が形成されている。この幅狭溝１９０は、放射面１４０Ａの中心に対し同心状かつ不連続な環状（方形リング状）に形成されている。これら未貫通孔１８０及び幅狭溝１９０は、光源１１０からの光の反射量（又は光の透過量）を調節するために設けられるものである。
【００１０】
この面照明光源装置によると、光源から放射された光は、少なくとも１回は内側反射部の反射面又は外方反射部の反射面、あるいは開口部の側面壁にて反射し、反射光のみが開口を通過することとなる。これにより、放射面１４０Ａから所定距離離れた位置での光の分布が均一になる。また、外方反射部１６０での光の反射量を調節する未貫通孔１８０と幅狭溝１９０を設けたので、光源１１０からの光を微妙にコントロールして均一な照度分布の照明光を得ることができる。
【先行技術文献】
【特許文献】
【００１１】
【特許文献１】特開２００６−０１２８１８号公報
【特許文献２】特開２００９−０１６０９３号公報
【特許文献３】特開２００９−００４２４８号公報（段落〔００２３〕、〔００２８〕〜〔００３９〕、図１Ａ）
【発明の概要】
【発明が解決しようとする課題】
【００１２】
上記特許文献３に開示されている面照明光源装置においては、光源から放射された光が少なくとも１回は反射するように、内側反射部の反射面、外方反射部の反射面、あるいは開口部の側面壁の反射面がそれぞれ設けられているため、グレアの発生を防止することができる。
【００１３】
しかし、上記特許文献３に開示されている面照明光源装置においては、光源装置の大型化に伴って光源装置の放射方向の厚みが大きくなると、光源から放射された光が少なくとも１回は内側反射部の反射面、外方反射部の反射面、あるいは開口部の側面壁の反射面で反射するように、それぞれの配置関係を最適化することが困難になる。
【００１４】
そこで、本発明においては、指向性の強い点光源からの光を用い、大型化されても均一な照度分布の照明光を得ることができるとともに、不快なまぶしさであるグレアが発生しない面照明光源装置及び面照明装置を提供することを目的とする。
【課題を解決するための手段】
【００１５】
前記課題を解決するために、本発明の面照明光源装置は、
指向性の強い点光源と、
前記点光源が底部の中央に固定され、前記底部から側壁部が所定の高さ立設されて、前記点光源と対向する側に開口を有し、内壁面が反射部材で形成された箱型のハウジングと、
前記ハウジングの開口を覆い、周囲が前記ハウジングの開口の縁部で固定された光導通反射板を備えた面照明光源装置において、
前記光導通反射板は、前記点光源に対向する側に中央光導通反射部及び前記中央光導通反射部の周囲に外方光導通反射部が設けられた板状体からなり、
前記外方光導通反射部に、前記光導通反射板を垂直に貫通する複数の光導通部が形成されており、
前記光導通反射板は、前記ハウジングの底部との間隙が前記ハウジングの開口の縁部から前記中央光導通反射部に向かって徐々に狭められていることを特徴とする。
【００１６】
なお、本発明の面照明光源装置における「光導通反射」という用語は、一部の光は透過するが残部の光は反射することを意味するものとして用いられている。そして本発明の面照明光源装置で用いられている光導通反射板は、指向性の強い点光源に対向する側に中央光導通反射部及び前記中央光導通反射部の周囲に外方光導通反射部が設けられた板状体からなり、前記外方光導通反射部に、前記光導通反射光導通反射板を垂直に貫通する複数の光導通部が形成されている。そのため、点光源から放射された指向性の強い光は、中央光導通反射部において一部光が透過して残部の光が反射するが、この反射した光はハウジングの表面で反射されて再度光導通反射板に入射する。その際、外方光導通反射部の光導通部に入射した光はそのまま外部に放射され、外方反射部の光導通部以外の部分に入射した光は、一部の光は透過するが、残部の光は反射して再度ハウジングの表面での反射を繰り返すようになる。そのため、本発明の面照明光源装置によれば、指向性の強い点光源を用いながらも均一な照度分布の照明光が得られるようになる。
【００１７】
加えて、本発明の面照明光源装置における光導通反射板は、ハウジングの底部との間隙が前記ハウジングの開口の縁部から前記中央光導通反射部に向かって徐々に狭められているので、ハウジング内部に向かって湾曲された状態となっている。一方、外方光導通反射部の光導通部は光導通反射板に対して垂直に貫通されているから、光導通部から出射する光は光導通反射板の湾曲面に垂直な方向に分布した状態となる。そのため、本発明の光源装置によれば、点光源から出射した光は、少なくとも一回ハウジング内壁面又は光導通部で反射され、外方光導通反射部の光導通部から出射する光は、それぞれの光導通部の形成されている位置によって異なる方向に分布した光となっているため、一方向に集光されることがなく、不快なまぶしさであるグレアが発生しない面照明光源装置が得られる。
【００１８】
本発明の面照明光源装置においては、前記ハウジングの開口には、更に、前記光導通反射板の光出射側に、前記ハウジングの開口を覆うように、前記光導通反射板とは所定の隙間をあけて、光透過板が設けられていることが好ましい。
【００１９】
本発明の面照明光源装置においては、光導通反射板が剥き出しのままであっても、上述の所定の作用・効果を奏することができる。しかしながら、外方光導通反射部が剥き出しのままであると、外方光導通反射部の光導通部を経て埃がハウジング内部側に侵入して、光導通反射板及びハウジングの反射率が低下する可能性がある。本発明の面照明光源装置によれば、光導通反射板の光出射側に光透過板を形成したため、光透過板の光出射側が平らになるように被覆できるので、ハウジング内部側に埃が浸入し難くなり、長期間使用しても照度低下が少ない面照明光源装置が得られる。加えて、本発明の面照明光源装置によれば、光透過板の表面を平らにできるため、光透過板の表面に付着した埃等の除去も容易に行うことができるようになる。なお、この光透過板は、透明なものであっても、光散乱作用を有するものであっても使用し得る。
【００２０】
また、本発明の面照明光源装置においては、前記光導通反射板は弾性を有する板体から形成され、前記中央光導通反射部には前記光透過板と接触する高さの突起が形成されていることが好ましい。
【００２１】
光導通反射板が弾性を有し、中央光導通反射部に光透過板と接触する高さの突起が形成されていると、特に光導通反射板を湾曲させてハウジングに取り付けなくても、光透過板をハウジングに固定する際に、光透過板が突起に接触するので、この突起によって光導通反射板を弾性変形によって湾曲させることができる。そのため、本発明の面照明光源装置によれば、簡単な構成でありながら、安定した形状を備えた不快なまぶしさであるグレアが発生しない面照明光源装置が得られる。
【００２２】
また、本発明の面照明光源装置においては、前記中央光導通反射部及び前記外方光導通反射部は高反射率及び低透過率に形成され、前記外方光導通反射部の前記複数の光導通部は所定形状の開孔又は所定幅及び長さを有するスリットからなり、前記開孔の大きさ又は前記スリットの幅及び長さは前記中央光導通反射部から外方へ離れるにしたがって徐々に大きくされていることが好ましい。
【００２３】
本発明の面照明光源装置では、点光源からの指向性が強い光は、中央光導通反射部から外方光導通反射部へと反射を繰り返して進行するため、中央光導通反射部から外方へ離れるにしたがって光強度が弱くなる。本発明の面照明光源装置によれば、外方光導通反射部の開孔の孔径又はスリットの幅及び長さは中央光導通反射部から外方へ離れるにしたがって徐々に大きくされているため、中央光導通反射部から外方へ離れるにしたがって光導通部を通って出射される光の量が多くなるので、より均一な照度分布の照明光が得られるようになる。なお、前記光導通部の開孔の形状は、円形、楕円形、多角形、星形等任意の形状のものを採用することができ、多角形の場合には正多角形だけでなく、正多角形以外の多角形でも構わない。
【００２４】
また、本発明の面照明光源装置においては、前記光導通反射板は光反射拡散透過部材からなることが好ましい。
【００２５】
光導通反射板が光反射拡散透過部材からなるものとすると、光導通反射板を透過する光は、直進せずに散乱される。そのため、本発明の面照明光源装置によれば、より均一な照度分布の照明光が得られるようになる。
【００２６】
また、本発明の面照明光源装置においては、光導通反射板は超微細発泡光反射部材で形成されていることが好ましい。
【００２７】
超微細発泡光反射部材は、例えばプラスチック材料に光散乱粒子を分散させた場合と比すると、全ての方向により均質な散乱光を得ることができる。そのため、本発明の面照明光源装置によれば、より均一な照度分布の照明光が得られるようになる。さらに、超微細発泡光反射部材は、軽量であることから、面照明装置が大型化しても、面照明装置の重量を抑えることができる。
【００２８】
また、本発明の面照明光源装置においては、前記ハウジングは超微細発泡光反射部材で形成されており、前記光導通反射板と一体に形成されていることが好ましい。
【００２９】
本発明の面照明光源装置においては、ハウジング及び光導通反射板の両者ともに同じ超微細発泡光反射部材で一体に形成されているから、超微細発泡光反射部材からなる板材を打ち抜くことによりハウジング及び光導通反射板を一体に形成でき、しかも、その後に折り曲げることによって本発明の面照明光源装置を形成できる。そのため、本発明の面照明光源装置によれば、容易に製造することができる面照明光源装置が得られる。
【００３０】
また、本発明の面照明光源装置においては、前記点光源はＬＥＤ又はレーザーダイオード（以下、ＬＤという）を用いることができる。
【００３１】
ＬＥＤ及びＬＤ共に、指向性が強く、発光強度が強い周知の点光源である。そのため、本発明の面照明光源装置によれば、サイズが大きくても明るい面照明光源装置が得られる。
【００３２】
更に、上記目的を達成するため、本発明の面照明装置は、上記何れかの面照明光源装置を複数個連接することによって構成したことを特徴とする。
【００３３】
本発明の面照明装置によれば、個々の面照明光源装置が均一な照度分布の照明光が得られるとともに不快なまぶしさであるグレアが発生しないものであるため、より広い面積を有しながらも均一な照度分布の照明光が得られるとともに不快なまぶしさであるグレアが発生しない面照明装置が得られる。
【図面の簡単な説明】
【００３４】
【図１】本発明の第１の実施形態に係る面照明装置の平面図である。
【図２】図１の面照明装置の分解斜視図である。
【図３】本発明の第１の実施形態に係る面照明装置を構成する面照明光源装置の分解斜視図である。
【図４】図４Ａは図３の面照明光源装置の光透過板を透過した平面図であり、図４Ｂは図３の面照明光源装置の光透過孔の形態の例を示した平面図である。
【図５】図４のＶ−Ｖ線における断面図である。
【図６】図５の中央部の拡大断面図である。
【図７】本発明の第２の実施形態に係る面照明光源装置の斜視図である。
【図８】図７の面照明光源装置のVIII−VIII線における断面図である。
【図９】本発明の第３の実施形態に係る面照明光源装置の断面図である。
【図１０】図１０Ａは従来技術の面照明光源装置の平面図、図１０Ｂは同じく断面図、図１０Ｃは同じく光の反射状態を説明するための拡大断面図である。
【発明を実施するための形態】
【００３５】
以下、図面を参照して本発明の実施形態を説明する。但し、以下に示す実施形態は、本発明の技術思想を具体化するための面照明光源装置及びこの面照明光源装置を用いた面照明装置を例示するものであって、本発明をこれらの面照明光源装置及び面照明装置に特定することを意図するものではなく、特許請求の範囲に含まれるその他の実施形態のものにも等しく適応し得るものである。
【００３６】
本発明の実施形態に係る面照明装置について、図１及び図２を用いて説明する。なお、図１は本発明の実施形態に係る面照明装置の斜視図、図２は図１の面照明装置の分解斜視図である。
【００３７】
本発明の実施形態に係る面照明装置１は、３つの同一の面照明光源装置１１Ａ〜１１Ｃと、面照明光源装置１１Ａ〜１１Ｃとに共通の光透過板１８から構成されている。
３つの面照明光源装置１１Ａ〜１１Ｃは、それぞれ同一の構成を備えているので、そのうち、面照明光源装置１１Ａについて、図３〜図６を用いて説明する。なお、図３は本発明の実施形態に係る面照明光源装置の斜視図、図４Ａは図３の面照明光源装置の光透過板を透過した平面図、図４Ｂは図３の面照明光源装置の光透過孔の形態の例を示した平面図、図５は図４Ａの面照明光源装置のＶ−Ｖ線における断面図、図６は図５の面照明光源装置の中央部の拡大断面図である。
【００３８】
面照明光源装置１１Ａは、図３に示すように、指向性の強い点光源１２と、点光源１２が中央部に固定された箱型のハウジング１３とを備えている。点光源１２は、一つの発光素子あるいは複数の発光素子を有するＬＥＤとなっているが、ＬＥＤの代わりにＬＤを用いることもできる。
【００３９】
ハウジング１３は、底部１３ａと、側壁部１３ｂ〜１３ｅ及び開口１３ｆとを有している。底部１３ａの中央には点光源１２が設置されるための装着孔１３ｇが設けられている。なお、底部１３ａは、ハウジングの設置状態によっては天井面となることもあり、また側壁面となることもある。ハウジング１３は、高い光反射率を有する超微細発泡光反射部材等の材料で形成されており、ハウジング内壁面において点光源１２からの光を高い光反射率で反射し、効率よく利用することができる。
【００４０】
ハウジング１３の開口１３ｆは、光導通反射板１４によって覆われ、光導通反射板１４は、開口の縁部に固定される。ハウジング１３と光導通反射板１４に相当する部分を一枚の板体より切り出し、折り曲げることにより、ハウジング１３と光導通反射板１４とを作成することができる。なお、ハウジング１３と光導通反射板１４をそれぞれ別に形成し、ハウジング１３の開口縁部に光導通反射板１４を固定して組み立ててもよい。
【００４１】
光導通反射板１４は、弾性及び所定の肉厚を有し、また高い光反射率と低い光透過率を有する超微細発泡光反射部材等の材料で形成される。これにより、点光源２からの光を高い光反射率で反射し、効率よく利用することができ、またＬＥＤの真上部分においても一定の光が透過するので、ＬＥＤの真上部分が暗くなりすぎることがない。また、超微細発泡光反射部材は軽量であるため、面照明装置を大型化しても、面照明装置の重量を抑えることができる。さらに、超微細発泡光反射部材は容易に入手可能であり、比較的安価であることから、大型の面照明装置を作成する場合にもコストを抑えることができる。この光導通反射板１４は、図４に示すように、点光源１２の直上部分に中央光導通反射部１５、中央光導通反射部１５の外周囲に外方光導通反射部１６が設けられている。
【００４２】
中央光導通反射部５の中央部、すなわちＬＥＤ２の直上部分には中央部５ａが設けられている。中央部５ａは高光反射率に形成されており、点光源２から放射される強い光を反射し、さらにその反射光がハウジング内壁面及び光導通反射板４によって多重反射するようになっている。中央部５ａの光反射率は、光学反射板材の選択、この材料の加工（例、ハーフ溝の形成、板厚の調整）によって適宜設定され、これによって、光を効率よく利用することができるようになる。中央部５ａの周辺すなわち外方光導通反射部６との境界部に周辺部５ｂが設けられている。周辺部５ｂには小孔が設けられ、中央部５ａに次いで光反射率を高くする一方で、一部の光を透過させるように設計されている。なお、この小孔はスリット、細溝などに代えてもよい。
【００４３】
外方光導通反射部１６には、円形の開孔１６ａが、光導通反射板１４を垂直に貫通するよう、所定間隔で形成されている。開孔１６ａの孔径は前記中央光導通反射部から外方へ離れるにしたがって徐々に大きくなる。なお、この開孔１６ａは、図４Ｂに示すように、三角形や四角形、星形など、種々の形状をとることができ、デザイン性を高めることが可能である。また、開孔１６ａの代わりに、同心状の環状ないし方形状のスリットを設け、中央光導通反射部１５から外方へ離れるほどその幅長が増加するようにしてもよい。
【００４４】
中央光導通反射部１５の中央には、所定高さの突起１７が設けられる。突起１７の高さは、光透過板１８に当接されたときに、点光源１２からの直接光が光導通反射板１４を透過しないように実験によって求められ、例えば光源装置の１辺の長さが２５０ｍｍ、光源装置の高さが３５ｍｍの時、５ｍｍとなっている。
【００４５】
光透過板１８は、光導通反射板１４よりも光透過率が高く、硬質の板材からなり、光導通反射板１４の上方に所定の隙間をあけて固定されている。この実施形態に係る面照明装置１においては、面照明光源装置１１Ａ〜１１Ｃで共通する１つの光透過板が用いられているが、面照明光源装置１１Ａ〜１１Ｃそれぞれについて光透過板を設けてもよい。
【００４６】
光透過板１８を面照明光源装置１１Ａに固定する際に、突起１７が光透過板１８と当接すると、光透過板１８から圧力が加わって突起１７が押し下げられ、光導通反射板１４が弾性変形される。この結果、光導通反射板１４と底部１３ａとの間隙は、光導通反射板１４が弾性変形されていることにより、開口縁部から中央光導通反射部１５に向かって徐々に狭くなる。これにより外方光導通反射部１６の開孔１６ａは、点光源１２の光軸１２ａに対し、鋭角の角度をなすため、点光源１２からの光は少なくとも１回ハウジング内壁面又は光導通反射板１４もしくは開孔１６ａの内壁面によって反射した後に開孔１６ａを通過することとなる。
このように、光透過板１８をハウジング１３に固定する際に、光透過板１８が突起１７に接触するので、この突起１７によって光導通反射板１４を湾曲させることができる。そのため、第1の実施形態の面照明光源装置１１Ａ〜１１Ｃ及び面照明装置１によれば、簡単な構成でありながら、安定した形状を備えた不快なまぶしさであるグレアが発生しない面照明光源装置１１Ａ〜１１Ｃ及び面照明装置１が得られる。
【００４７】
本発明の第２の実施形態の面照明光源装置及び面照明装置について、図７、図８を用いて説明する。図７は本発明の第２の実施形態に係る面照明光源装置の斜視図、図８は図７の面照明光源装置のVII−VII線における断面図である。
【００４８】
本発明の第２の実施形態に係る面照明光源装置２１は、第１の実施形態に係る面照明光源装置１１Ａ〜１１Ｃと同様に、指向性の強い点光源２２と、点光源２２が中央部に固定された箱型のハウジング２３とを備えている。点光源２２及びハウジング２３の構成については、第１の実施形態に係る面照明光源装置１１Ａ〜１１Ｃと共通であるため、その詳細な説明は省略する。
【００４９】
ハウジング２３の開口２３ｆは光導通反射板２４によって覆われ、光導通反射板２４はハウジング２３の開口縁部に固定されている。光導通反射板２４は、第１の実施形態の面照明光源装置１１Ａ〜１１Ｃにおける光導通反射板１４と同様に、点光源２２の直上部分に中央光導通反射部２５、中央光導通反射部２５の外周囲に外方光導通反射部２６が設けられ、中央光導通反射部２５には、さらに中央部２５ａと周辺部２５ｂが設けられている。
【００５０】
光導通反射板２４は、熱加工などにより、中央部２５ａを中心に、湾曲するように塑性変形されている。光導通反射板２４を、ハウジング２３の底部２３ａとの間隙が開口縁部から中央光導通反射部２５に向かって徐々に狭くなるように開口縁部に固定することにより、第１の実施形態の面照明光源装置１１Ａ〜１１Ｃと同様の効果を得ることができる。
なお、光導通反射板２４は熱加工などにより塑性変形され、湾曲されているので、第１の実施形態と異なり、光導通反射板２４を湾曲させるための光透過板は必要ではないが、ハウジング内部への埃や虫等の侵入を防ぐため、光導通反射板２４の上方に光透過板を設けてもよい。
第２の実施形態に係る面照明光源装置２１によれば、簡単な構成でありながら、安定した形状を備えた不快なまぶしさであるグレアが発生しない面照明光源装置２１が得られる。なお、この面照明光源装置２１を複数個組み合わせることにより、第２の実施形態の面照明装置（図示省略）が得られる。
【００５１】
本発明の第３の実施形態の面照明装置及び面照明装置について、図９を用いて説明する。図９は本発明の第３の実施形態に係る面照明光源装置の断面図である。
【００５２】
本発明の第３の実施形態に係る面照明光源装置３１は、第３の実施形態に係る光源装置と同様、指向性の強い点光源３２と、点光源３２が中央部に固定された箱型のハウジング３３とを備えている。点光源３２及びハウジング３３については、第１の実施形態に係る面照明光源装置１１Ａ〜１１Ｃの構成と共通しているため、その詳細な説明は省略する。
【００５３】
ハウジング３３の開口は、光導通反射板３４によって覆われ、光導通反射板３４はハウジング３３の開口縁部に固定されている。光導通反射板３４は、第１、第２の実施形態と同様に、点光源３２の直上部分に中央光導通反射部３５、中央光導通反射部３５の外周囲に外方光導通反射部３６が設けられ、中央光導通反射部３５には、さらに中央部３５ａと周辺部３５ｂが設けられている。
ハウジング３３の開口に固定された光導通反射板３４には、光導通反射板３４を撓ませるため、中央部に、底部３３ａから光導通反射板３４までの高さよりも短いひも３９の一端が固定され、このひも３９の他端はハウジング底部３３ａの点光源３２付近に固定されている。これにより、光導通反射板３４と底部３３ａとの間隙は、光導通反射板３４が弾性変形されていることにより、開口縁部３１から中央光導通反射部３５に向かって徐々に狭くなる。この結果、第１の実施形態の面照明光源装置１１Ａ〜１１Ｃと同様の効果を得ることができる第３の実施形態の面照明光源装置３１が得られる。なお、この面照明光源装置３１を複数個組み合わせることにより、第３の実施形態の面照明装置（図示省略）が得られる。
【符号の説明】
【００５４】
１          面照明装置
１１Ａ〜１１Ｃ  面照明光源装置
１２        点光源
１３        ハウジング
１４        光導通反射板
１５        中央光導通反射部
１６        外方光導通反射部
１７        突起
１８        光透過板
２１        面照明光源装置
２２        点光源
２３        ハウジング
２４        光導通反射板
３１        面照明光源装置
３２        点光源
３３        ハウジング
３４        光導通反射板
３９        ひも
【図１】
0005515001.tif 000002
【図２】
0005515001.tif 000003
【図３】
0005515001.tif 000004
【図４】
0005515001.tif 000005
【図５】
0005515001.tif 000006
【図６】
0005515001.tif 000007
【図７】
0005515001.tif 000008
【図８】
0005515001.tif 000009
【図９】
0005515001.tif 000010
【図１０】
0005515001.tif 000011